【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）による無線通信のための方法であって、
少なくとも第１の無線アクセス技術（ＲＡＴ）をサポートするメモリ内にローディングされた第１のモデムフィーチャーセットにより動作することと、
前記第１のモデムフィーチャーセットによってサポートされない少なくとも第２のＲＡＴの潜在的な利用可能性を検出することと、
前記第２のＲＡＴの利用可能性を検出したことに応答して、デバイスをリセットさせるための１つ以上の行動をとり、ブート手順中又はブート手順後に、前記第２のＲＡＴをサポートする第２のモデムフィーチャーセットを含めるためにメモリを更新することと、を備え、前記第２のモデムフィーチャーセットは、前記第１のモデムフィーチャーセットを含む単一のデバイスイメージから選択される、方法。
【請求項２】
前記メモリは、前記ブート手順中又は前記ブート手順後に、前記第１のモデムフィーチャーセットではなく前記第２のモデムフィーチャーセットを含めるために更新される請求項１に記載の方法。
【請求項３】
前記単一のデバイスイメージは、少なくとも、ベースイメージ、前記第１のモデムフィーチャーセットを有する第１のセグメント、及び前記第２のモデムフィーチャーセットを有する第２のセグメントにパーティショニングされる請求項１に記載の方法。
【請求項４】
前記単一のデバイスイメージは、少なくとも、前記ベースイメージ、前記第１のモデムフィーチャーセットを有する前記第１のセグメント、前記第２のモデムフィーチャーセットを有する前記第２のセグメント、及び第３のモデムフィーチャーセットを有する第３のセグメントにパーティショニングされる請求項３に記載の方法。
【請求項５】
前記メモリは、前記ブート手順中又は前記ブート手順後に、前記第１のモデムフィーチャーセットではなく前記第３のモデムフィーチャーセットを含めるために更新される請求項４に記載の方法。
【請求項６】
前記１つ以上の行動をとることは、前記リセット中に消去されないメモリロケーションに１つ以上の値を書き込むことを備える請求項３に記載の方法。
【請求項７】
前記第１又は第２のＲＡＴのうちの少なくとも１つは、ＴＤ−ＳＣＤＭＡを備える請求項１に記載の方法。
【請求項８】
前記第１又は第２のＲＡＴのうちの少なくとも１つは、Ｗ−ＣＤＭＡ及びＬＴＥのうちの少なくとも１つを備える請求項１に記載の方法。
【請求項９】
前記少なくとも第１のＲＡＴは、少なくともＷ−ＣＤＭＡを含み、
前記少なくとも第２のＲＡＴは、少なくともＴＤ−ＳＣＤＭＡを含む請求項１に記載の方法。
【請求項１０】
前記少なくとも第１のＲＡＴは、少なくともＴＤ−ＳＣＤＭＡを含み、
前記少なくとも第２のＲＡＴは、少なくともＷ−ＣＤＭＡを含む請求項１に記載の方法。
【請求項１１】
前記第１のモデムフィーチャーセットによってサポートされない少なくとも第２のＲＡＴの潜在的な利用可能性を検出することは、
前記第１のモデムフィーチャーセットに基づいてシステム選択を行うことと、
前記システム選択中に検出されたモバイルカントリーコード（ＭＣＣ）又はモバイルネットワークコード（ＭＮＣ）のうちの少なくとも１つに基づいて、前記第１のＲＡＴが利用可能でないと決定することと、を備える請求項１に記載の方法。
【請求項１２】
前記第１のモデムフィーチャーセットによってサポートされない少なくとも第２のＲＡＴの潜在的な利用可能性を検出することは、
前記第１のモデムフィーチャーセットに基づいてシステム選択を行うことと、
前記システム選択が結果として限定的サービスをもたらすか、または何のサービスももたらさない場合はタイマを始動させることと、
フルサービスを達成させずに前記タイマが時間切れである場合は前記第１のＲＡＴは利用可能でないと決定することと、を備える請求項１に記載の方法。
【請求項１３】
前記第１のモデムフィーチャーセットによってサポートされない第２のＲＡＴは、前記第１のモデムフィーチャーセットによってフルサービスに関してサポートされない第２のＲＡＴを含む請求項１に記載の方法。
【請求項１４】
ユーザ装置（ＵＥ）による無線通信のための装置であって、
少なくとも第１の無線アクセス技術（ＲＡＴ）をサポートするメモリ内にローディングされた第１のモデムフィーチャーセットにより動作するための手段と、
前記第１のモデムフィーチャーセットによってサポートされない少なくとも第２のＲＡＴの潜在的な利用可能性を検出するための手段と、
前記第２のＲＡＴの利用可能性を検出したことに応答して、デバイスをリセットさせるための１つ以上の行動をとり、ブート手順中又はブート手順後に、前記第２のＲＡＴをサポートする第２のモデムフィーチャーセットを含めるためにメモリを更新するための手段と、を備え、前記第２のモデムフィーチャーセットは、前記第１のモデムフィーチャーセットを含む単一のデバイスイメージから選択される、装置。
【請求項１５】
実行されると、少なくとも１つのコンピュータに、本願請求項１−１３のうちのいずれか一項にしたがった方法を実行させるための実行可能な命令を備える、コンピュータプログラム。
【手続補正２】
【補正対象書類名】明細書
【補正対象項目名】００７７
【補正方法】変更
【補正の内容】
【００７７】
［００８７］前の説明は、当業者がここにおいて説明される様々な態様を実践するのを可能にすることを目的として提供される。これらの態様に対する様々な変更は、当業者にとって容易に明確になるであろう、及びここにおいて定められる一般原理は、その他の態様に対して適用可能である。このように、請求項は、ここにおいて示される態様に限定されることは意図されず、請求項の文言に一致する最大限の適用範囲が認められるべきであり、単数形の要素への言及は、その旨特記されないかぎり“１つ及び１つのみ”を意味することは意図されず、むしろ“１つ以上”を意味することが意図される。別の特記がない限り、用語“幾つかの”は、１つ以上を意味する。項目のリストのうちの“少なくとも１つの”を意味する表現は、それらの項目のあらゆる組み合わせを意味し、単一の項目を含む。一例として、“ａ、ｂ、又はｃのうちの少なくとも１つ”は、ａ、ｂ、ｃ、ａとｂ、ａとｃ、ｂとｃ、及びａ、ｂ、及びｃを網羅することが意図される。当業者に知られている又はのちに知られることになる、本開示全体を通じて説明される様々な態様の要素のすべての構造上及び機能上の同等物は、ここにおける引用によって明示でここに組み入れられており、請求項によって包含されることが意図される。さらに、ここにおいて開示されるいずれのことも、当該開示が請求項において明示されるかどうかにかかわらず、公衆に提供することは意図されない。請求項のいずれの要素も、３５Ｕ．Ｓ．Ｃ．§１１２、第６段落の規定に基づいて解釈されるべきではない。ただし、要素が、句“〜のための手段”を用いて明記されている場合、又は、方法請求項の場合は、要素が句“〜のためのステップ”を用いて記載されている場合はこの限りではない。
以下に、本願出願の当初の特許請求の範囲に記載された発明を付記する。
［Ｃ１］
ユーザ装置（ＵＥ）による無線通信のための方法であって、
少なくとも第１の無線アクセス技術（ＲＡＴ）をサポートするメモリ内にローディングされた第１のモデムフィーチャーセットにより動作することと、
前記第１のモデムフィーチャーセットによってサポートされない少なくとも第２のＲＡＴの潜在的な利用可能性を検出することと、
応答して、デバイスをリセットさせるための１つ以上の行動をとり、ブート手順中又はブート手順後に、前記第２のＲＡＴをサポートする第２のモデムフィーチャーセットを含めるためにメモリを更新することと、を備え、前記第２のモデムフィーチャーセットは、前記第１のモデムフィーチャーセットを含む単一のデバイスイメージから選択される、方法。
［Ｃ２］
前記メモリは、前記ブート手順中又は前記ブート手順後に、前記第１のモデムフィーチャーセットではなく前記第２のモデムフィーチャーセットを含めるために更新されるＣ１に記載の方法。
［Ｃ３］
前記単一のデバイスイメージは、少なくとも、ベースイメージ、前記第１のモデムフィーチャーセットを有する第１のセグメント、及び前記第２のモデムフィーチャーセットを有する第２のセグメントにパーティショニングされるＣ１に記載の方法。
［Ｃ４］
前記単一のデバイスイメージは、少なくとも、前記ベースイメージ、前記第１のモデムフィーチャーセットを有する前記第１のセグメント、前記第２のモデムフィーチャーセットを有する前記第２のセグメント、及び第３のフィーチャーセットを有する第３のセグメントにパーティショニングされるＣ１に記載の方法。
［Ｃ５］
前記メモリは、前記ブート手順中又は前記ブート手順後に、前記第１のモデムフィーチャーセットではなく前記第３のモデムフィーチャーセットを含めるために更新されるＣ４に記載の方法。
［Ｃ６］
前記１つ以上の行動をとることは、前記リセット中に消去されないメモリ記憶場所に１つ以上の値を書き込むことを備えるＣ３に記載の方法。
［Ｃ７］
前記１つ以上の値は、所定のフィーチャーセットに対応するセグメントローディング可能なセグメントがローディングされるべきかどうかを決定するためにモデムブートアップ手順中に使用される構成を備えるＣ６に記載の方法。
［Ｃ８］
前記１つ以上の値は、前記ＵＥによって使用されるべき前記第１のモデムフィーチャーセットと異なるモデムフィーチャーセットを示すＣ６に記載の方法。
［Ｃ９］
前記１つ以上の値は、所定のフィーチャーセットに対応するセグメントローディング可能なセグメントがローディングされるべきかどうかを決定するためにブートローダによって使用されるフィーチャーセグメントロケーションマスクを備えるＣ６に記載の方法。
［Ｃ１０］
前記フィーチャーセグメントロケーションマスクは、前記ＵＥのモデムによって提供されるＣ９に記載の方法。
［Ｃ１１］
前記第１又は第２のＲＡＴのうちの少なくとも１つは、ＴＤ−ＳＣＤＭＡを備えるＣ１に記載の方法。
［Ｃ１２］
前記第１又は第２のＲＡＴのうちの少なくとも１つは、Ｗ−ＣＤＭＡ及びＬＴＥのうちの少なくとも１つを備えるＣ１に記載の方法。
［Ｃ１３］
前記少なくとも第１のＲＡＴは、少なくともＷ−ＣＤＭＡを含み、
前記少なくとも第２のＲＡＴは、少なくともＴＤ−ＳＣＤＭＡを含むＣ１に記載の方法。
［Ｃ１４］
前記少なくとも第１のＲＡＴは、少なくともＴＤ−ＳＣＤＭＡを含み、
前記少なくとも第２のＲＡＴは、少なくともＷ−ＣＤＭＡを含むＣ１に記載の方法。
［Ｃ１５］
前記第１のモデムフィーチャーセットによってサポートされない少なくとも第２のＲＡＴの潜在的な利用可能性を検出することは、
前記第１のモデムフィーチャーセットに基づいてシステム選択を行うことと、
前記システム選択中に検出されたモバイルカントリーコード（ＭＣＣ）又はモバイルネットワークコード（ＭＮＣ）のうちの少なくとも１つに基づいて、前記第１のＲＡＴが利用可能でないと決定することと、を備えるＣ１に記載の方法。
［Ｃ１６］
前記第１のモデムフィーチャーセットによってサポートされない少なくとも第２のＲＡＴの潜在的な利用可能性を検出することは、
前記第１のモデムフィーチャーセットに基づいてシステム選択を行うことと、
前記システム選択の結果限定的サービス又はサービスなしである場合はタイマを始動させることと、
フルサービスを達成させずに前記タイマが時間切れである場合は前記第１のＲＡＴは利用可能でないと決定することと、を備えるＣ１に記載の方法。
［Ｃ１７］
前記第１のモデムフィーチャーセットによってサポートされない第２のＲＡＴは、前記第１のモデムフィーチャーセットによってフルサービスに関してサポートされない第２のＲＡＴを含むＣ１に記載の方法。
［Ｃ１８］
デバイス構成のための方法であって、
第１のデバイスハードウェア及びソフトウェアの構成をサポートするメモリ内にローディングされた第１のモデムフィーチャーセットにより動作することと、
前記第１のデバイスハードウェア及びソフトウェアの構成と異なる第２のデバイスハードウェア及びソフトウェアの構成において動作する潜在力を検出することと、
応答して、デバイスをリセットさせるための１つ以上の行動をとり、ブート手順中又はブート手順後に、前記第２のデバイスハードウェア及びソフトウェアの構成をサポートする第２のモデムフィーチャーセットを含めるためにメモリを更新することと、を備え、
前記第２のフィーチャーセットは、前記ブート手順後に前記デバイスのファイルシステムに格納されたデータアイテムの選択された部分組である、方法。
［Ｃ１９］
前記メモリは、前記ブート手順中又は前記ブート手順後に、前記第１のモデムフィーチャーセットではなく前記第２のモデムフィーチャーセットを含めるために更新されるＣ１８に記載の方法。
［Ｃ２０］
前記ファイルシステムは、実行可能かつリンク可能な（ＥＬＦ）フォーマットファイルシステムを備えるＣ１８に記載の方法。
［Ｃ２１］
前記第１のデバイスハードウェア及びソフトウェアの構成又は第２のデバイスハードウェア及びソフトウェアの構成のうちの少なくとも１つは、ＴＤ−ＳＣＤＭＡを備えるＣ１８に記載の方法。
［Ｃ２２］
前記第１のデバイスハードウェア及びソフトウェアの構成又は第２のデバイスハードウェア及びソフトウェアの構成のうちの少なくとも１つは、Ｗ−ＣＤＭＡ及びＬＴＥのうちの少なくとも１つを備えるＣ１８に記載の方法。
［Ｃ２３］
前記少なくとも第１のデバイスハードウェア及びソフトウェアの構成は、少なくともＷ−ＣＤＭＡを含み、
前記少なくとも第２のデバイスハードウェア及びソフトウェアの構成は、少なくともＴＤ−ＳＣＤＭＡを含むＣ２２に記載の方法。
［Ｃ２４］
前記少なくとも第１のデバイスハードウェア及びソフトウェアの構成は、少なくともＴＤ−ＳＣＤＭＡを含み、
前記少なくとも第２のデバイスハードウェア及びソフトウェアの構成は、少なくともＷ−ＣＤＭＡを含むＣ２２に記載の方法。
［Ｃ２５］
前記第１のデバイスハードウェア及びソフトウェアの構成と異なる第２のデバイスハードウェア及びソフトウェアの構成において動作する潜在力を検出することは、
前記第１のモデムフィーチャーセットに基づいてシステム選択を行うことと、
前記システム選択中に検出されたモバイルカントリーコード（ＭＣＣ）又はモバイルネットワークコード（ＭＮＣ）のうちの少なくとも１つに基づいて、前記第１のデバイスハードウェア及びソフトウェアの構成が利用可能でないと決定することと、を備えるＣ１８に記載の方法。
［Ｃ２６］
前記第１のデバイスハードウェア及びソフトウェアの構成と異なる第２のデバイスハードウェア及びソフトウェアの構成において動作する潜在力を検出することは、
前記第１のフィーチャーセットに基づいてシステム選択を行うことと、
前記システム選択の結果限定的サービスまたはサービスなしである場合はタイマを始動させることと、
フルサービスを達成させずに前記タイマが時間切れである場合は前記第１のデバイスハードウェア及びソフトウェアの構成は利用可能でないと決定することと、を備えるＣ１８に記載の方法。
［Ｃ２７］
前記第１のモデムフィーチャーセットによってサポートされない第２のデバイスハードウェア及びソフトウェアの構成は、前記第１のフィーチャーセットによってフルサービスに関してサポートされない第２のデバイスハードウェア及びソフトウェアの構成を含むＣ１８に記載の方法。
［Ｃ２８］
ユーザ装置（ＵＥ）による無線通信のための装置であって、
少なくとも第１の無線アクセス技術（ＲＡＴ）をサポートするメモリ内にローディングされた第１のモデムフィーチャーセットにより動作するための手段と、
前記第１のモデムフィーチャーセットによってサポートされない少なくとも第２のＲＡＴの潜在的な利用可能性を検出するための手段と、
応答して、デバイスをリセットさせるための１つ以上の行動をとり、ブート手順中又はブート手順後に、前記第２のＲＡＴをサポートする第２のモデムフィーチャーセットを含めるためにメモリを更新するための手段と、を備え、前記第２のモデムフィーチャーセットは、前記第１のモデムフィーチャーセットを含む単一のデバイスイメージから選択される、装置。
［Ｃ２９］
デバイス構成のための装置であって、
第１のデバイスハードウェア及びソフトウェアの構成をサポートするメモリ内にローディングされた第１のフィーチャーセットにより動作するための手段と、
前記第１のデバイスハードウェア及びソフトウェアの構成と異なる第２のデバイスハードウェア及びソフトウェアの構成において動作する潜在力を検出するための手段と、
応答して、デバイスをリセットさせるための１つ以上の行動をとり、ブート手順中又はブート手順後に、前記第２のデバイスハードウェア及びソフトウェアの構成をサポートする第２のフィーチャーセットを含めるためにメモリを更新するための手段と、を備え、
前記第２のフィーチャーセットは、前記ブート手順後に前記デバイスのファイルシステムに格納されたデータアイテムの選択された部分組である、装置。